(57)【要約】      （修正有）【課題】安定したグリップが可能な携帯機器グリップ装置を提供する。【解決手段】携帯機器グリップ装置１００は、携帯機器１０に装着されるベース部１１０、ベース部にベース部の長さ方向に形成されるスライディングホール、スライディングホールに挿入されてスライディングホールに沿って互いに独立的に移動可能な一対のスライダー、および一対のスライダーと結合されて一対のスライダーのうち少なくともいずれか一つが移動するにつれて、指の挿入が可能な空間を形成するように変形するバンド部１４０を含む。【選択図】図１
0003231318.tif 000002
【実用新案登録請求の範囲】
【請求項１】
携帯機器に装着されるベース部；
前記ベース部に前記ベース部の長さ方向に形成されるスライディングホール；
前記スライディングホールに挿入されて前記スライディングホールに沿って互いに独立的に移動可能な一対のスライダー；および
前記一対のスライダーと結合されて前記一対のスライダーのうち少なくともいずれか一つが移動するにつれて、指の挿入が可能な空間を形成するように変形するバンド部を含む、携帯機器グリップ装置。
【請求項２】
前記スライダーが移動した状態を維持可能なように前記スライディングホールの内周面から突出して形成される突起部をさらに含む、請求項１に記載の携帯機器グリップ装置。
【請求項３】
前記突起部には、前記スライダーが前記突起部を横切って移動時に受ける抵抗が減少するように前記スライダーの移動方向に傾斜面が設けられる、請求項２に記載の携帯機器グリップ装置。
【請求項４】
前記スライダーを前記スライディングホールに挿入可能なように、前記ベース部に形成されて前記スライディングホールの端部に配置される挿入ホールをさらに含む、請求項１に記載の携帯機器グリップ装置。
【請求項５】
前記挿入ホールは、前記スライダーを側方向に挿入可能なように前記スライダーの側端面の形状に対応するように形成される、請求項４に記載の携帯機器グリップ装置。
【請求項６】
前記挿入ホールの前記スライディングホール側の内周面は前記スライディングホール方向に傾斜するように形成される、請求項４に記載の携帯機器グリップ装置。
【請求項７】
前記スライダーの位置を支持するように、前記スライダーの移動経路上に前記ベース部から突出するように配置される支持部をさらに含む、請求項１に記載の携帯機器グリップ装置。
【請求項８】
前記支持部には、前記スライダーが既設定値を超過する外力を受ける時に前記支持部を横切って越えて行くように傾斜面が形成される、請求項７に記載の携帯機器グリップ装置。
【請求項９】
前記支持部の前記スライディングホールの中心側の傾斜面は前記支持部の前記スライダー側の傾斜面より緩やかに形成される、請求項８に記載の携帯機器グリップ装置。
【請求項１０】
前記支持部は前記スライダーの外周に沿って延びて形成される、請求項７に記載の携帯機器グリップ装置。
【考案の詳細な説明】
【技術分野】
【０００１】
本考案は携帯機器グリップ装置に関する。
【背景技術】
【０００２】
最近スマートフォンなどのような携帯機器が広く普及されて使われており、このような携帯機器は全般的に大画面を具備し、前後面が平らで厚さがスリムなバー（Ｂａｒ）の形状を有している。
【０００３】
前記携帯機器の形状に起因して使用者が携帯機器をグリップするのに困難があり、これに伴い、携帯機器の使用時に落下などの危険性が存在することはもちろん、もし前記の落下などにより携帯機器が破損した時には多くの修理費用が要される問題点があった。
【０００４】
したがって、携帯機器の落下を防止し携帯機器を安定的に把持するために多様な装置が開発されている。
【先行技術文献】
【特許文献】
【０００５】
（特許文献０００１）大韓民国登録特許公報第１０−１７４３２６５号（２０１７．０６．０２．公告）
【考案の概要】
【考案が解決しようとする課題】
【０００６】
本考案は、携帯機器の安定したグリップが可能な携帯機器グリップ装置を提供するものである。
【課題を解決するための手段】
【０００７】
本考案の一側面によると、携帯機器に装着されるベース部、ベース部にベース部の長さ方向に形成されるスライディングホール、スライディングホールに挿入されてスライディングホールに沿って互いに独立的に移動可能な一対のスライダー、および一対のスライダーと結合されて一対のスライダーのうち少なくともいずれか一つが移動するにつれて、指の挿入が可能な空間を形成するように変形するバンド部を含む携帯機器グリップ装置が提供される。
【０００８】
突起部はスライダーが移動した状態を維持可能なようにスライディングホールの内周面から突出して形成され得る。
【０００９】
突起部には、スライダーが突起部を横切って移動時に受ける抵抗が減少するようにスライダーの移動方向に傾斜面が設けられ得る。
【００１０】
挿入ホールはスライダーをスライディングホールに挿入可能なように、ベース部に形成されスライディングホールの端部に配置され得る。
【００１１】
挿入ホールはスライダーを側方向に挿入可能なようにスライダーの側端面の形状に対応するように形成され得る。
【００１２】
挿入ホールのスライディングホール側の内周面はスライディングホール方向に傾斜するように形成され得る。
【００１３】
支持部はスライダーの位置を支持するように、スライダーの移動経路上にベース部から突出するように配置され得る。
【００１４】
支持部にはスライダーが既設定値を超過する外力を受ける時、支持部を横切って越えて行くように傾斜面が形成され得る。
【００１５】
支持部のスライディングホールの中心側の傾斜面は支持部のスライダー側の傾斜面より緩やかに形成され得る。
【００１６】
支持部はスライダーの外周に沿って延びて形成され得る。
【考案の効果】
【００１７】
本考案によると、携帯機器を安定してグリップすることができる。
【図面の簡単な説明】
【００１８】
【図１】本考案の一実施例に係る携帯機器グリップ装置が携帯機器に装着された様子を示した斜視図である。
【図２】本考案の一実施例に係る携帯機器グリップ装置の分解斜視図である。
【図３】図２のＡＡ線およびＢＢ線に沿った携帯機器グリップ装置の断面図である。
【図４】本考案の一実施例に係るスライダーが移動するにつれて、バンド部が指挿入可能空間を形成する様子を示した図面である。
【図５】本考案の一実施例に係るベース部を示した背面図である。
【考案を実施するための形態】
【００１９】
本考案は多様な変換を加えることができ、多様な実施例を有することができるところ、特定の実施例を図面に例示して詳細な説明に詳細に説明する。しかし、これは本考案を特定の実施形態に対して限定しようとするものではなく、本考案の思想および技術範囲に含まれるすべての変換、均等物乃至代替物を含むものと理解されるべきである。本考案の説明において、関連した公知技術に対する具体的な説明が本考案の要旨を曖昧にさせ得る恐れがあると判断される場合、その詳細な説明を省略する。
【００２０】
第１、第２等の用語は多様な構成要素の説明に使われ得るが、前記構成要素は前記用語によって限定されてはならない。前記用語は一つの構成要素を他の構成要素から区別する目的でのみ使われる。
【００２１】
本出願で使った用語は単に特定の実施例を説明するために使われたものであって、本考案を限定しようとする意図ではない。単数の表現は文脈上明白に異なるように意味しない限り、複数の表現を含む。本出願で、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００２２】
以下、本考案に係る携帯機器グリップ装置１００の実施例を添付図面を参照して詳細に説明することにし、添付図面を参照して説明するにおいて、同一または対応する構成要素は同じ図面番号を付与し、これに対する重複する説明は省略することにする。
【００２３】
本実施例によると、図１〜図４に図示された通り、携帯機器１０に装着されるベース部１１０、ベース部１１０にベース部１１０の長さ方向に形成されるスライディングホール１２０、スライディングホール１２０に挿入されてスライディングホール１２０に沿って互いに独立的に移動可能な一対のスライダー１３０、および一対のスライダー１３０と結合されて一対のスライダー１３０のうち少なくともいずれか一つが移動するにつれて、指２０の挿入が可能な空間を形成するように変形するバンド部１４０を含む携帯機器グリップ装置１００が提示される。
【００２４】
このような本実施例によると、一対のスライダー１３０がスライディングホール１２０に沿って互いに独立的に移動し、前記一対のスライダー１３０のうち少なくともいずれか一つが移動するにつれて、前記スライダー１３０と結合されたバンド部１４０が変形して指２０の挿入が可能な空間が形成されるため、使用者は該当空間に指２０を挿入して携帯機器１０を安定してグリップできるようになる。
【００２５】
以下、図１〜図５を参照して本実施例に係る携帯機器グリップ装置１００の各構成について説明するようにする。
【００２６】
ベース部１１０は図１に図示された通り、携帯機器１０に装着され得る。これに伴い、ベース部１１０は携帯機器１０を安定してグリップするための本考案の装置が携帯機器１０に装着されて支持されるようにすることができる。
【００２７】
また、ベース部１１０は図１〜図４に図示された通り、本考案の目的および機能を達成するためのさらに他の構成の作動および構成間の作用が行われ得るベースとしての役割を遂行するように構成され得る。
【００２８】
スライディングホール１２０は図２〜図５に図示された通り、ベース部１１０にベース部１１０の長さ方向に形成され得る。この場合、スライダー１３０がスライディングホール１２０を通じて移動可能であり、これに伴い、バンド部１４０が変形して指２０挿入可能空間が形成され得るようになる。
【００２９】
付着部１５０は図２に図示された通り、ベース部１１０を携帯機器１０に着脱可能なようにベース部１１０に形成され得る。
【００３０】
これに伴い、前述した通り、ベース部１１０は付着部１５０を通じて携帯機器１０に装着され得る。また、付着部１５０は着脱が可能なように形成されて使用者は必要に応じてベース部１１０の位置を変更して携帯機器１０に装着させることができる。
【００３１】
より具体的には、付着部１５０は接着剤、ゲルパッドなどを含んで形成され得、厚さ感を有するように形成されて後述するように、スライダー１３０の移動時にスライダー１３０が携帯機器１０に接触しないようにすることができる。
【００３２】
また、付着部１５０の内部には図２に図示された通り、スライダー１３０の移動時に干渉が防止されるように、干渉防止ホール１５２が形成され得る。より具体的には、干渉防止ホール１５２は後述する突出防止溝１９０の形状に対応するように形成され得る。
【００３３】
離型カバー１５４は図２に図示された通り、付着部１５０の汚染を防止するように付着部１５０に離型可能に付着され得る。これに伴い、離型カバー１５４は付着部１５０に異物が結合されて付着性が落ちることを防止することができ、使用者は必要に応じて本装置を分離して今後の使用のために離型カバー１５４を付着して保管してもよい。
【００３４】
より具体的には、離型カバー１５４は図２に図示された通り、付着部１５０を効果的に保護するために、付着部１５０をカバーするように形成されるか付着部１５０の形状に対応するように形成され得、また、離型カバー１５４はフィルム、コーティング紙などを含んで形成され得る。
【００３５】
突起部１６０は図２、図４および図５に図示された通り、スライダー１３０が移動した状態を維持可能なようにスライディングホール１２０の内周面から突出して形成され得る。
【００３６】
すなわち、突起部１６０はスライダー１３０の流動または任意的な移動を防止するように、移動したスライダー１３０を移動反対方向から支持してスライダー１３０の移動した状態を維持させることができる。
【００３７】
突起部１６０には図２、図４および図５に図示された通り、スライダー１３０が突起部１６０を横切って移動時に受ける抵抗が減少するように、スライダー１３０の移動方向に傾斜面が設けられ得る。
【００３８】
これに伴い、スライダー１３０は前述した通り、移動反対方向には突起部１６０によって支持され、移動方向には突起部１６０に設けられた傾斜面を通じて突起部１６０を横切って移動することができる。
【００３９】
より具体的には、突起部１６０の傾斜面は図２、図４および図５に図示された通り、スライディングホール１２０に向かって膨らんだ曲面で形成され得、これに伴い、スライダー１３０の移動に対する抵抗の減少およびスライダー１３０の支持がより有機的に共に行われ得る。
【００４０】
突起部１６０は図２、図４および図５に図示された通り、複数で形成され得、複数の突起部１６０は互いに離隔して配置され得る。これに伴い、スライディングホール１２０内より広い移動区間で前述した突起部１６０の機能が発揮され得る。
【００４１】
より具体的には、複数の突起部１６０は同一の間隔で離隔し得る。この場合、スライダー１３０の移動状態が維持される位置がスライディングホール１２０内で一定に設けられるため、使用者はより容易にスライダー１３０のスライディングホール内の配置位置を決定することができるようになる。
【００４２】
突起部１６０は図５に図示された通り、スライディングホール１２０の内周面の一側に形成される第１突起１６２、およびスライディングホール１２０の内周面の他側に形成される第２突起１６４を含むことができる。
【００４３】
これに伴い、スライダー１３０の移動した状態が、スライディングホール１２０の内周面の両側に形成された第１突起１６２および第２突起１６４を通じてより効果的に維持され得る。
【００４４】
また、第１突起１６２と第２突起１６４は図５に図示された通り、互いに入れ違いに配置され得る。
【００４５】
例えば、スライダー１３０が第１突起１６２によって支持される場合、第１突起１６２と入れ違いに配置された第２突起１６４は、スライダー１３０が第１突起１６２によってより効果的に支持されるようにスライダー１３０を加圧する役割を遂行することができる。
【００４６】
より具体的には、第１突起１６２および第２突起１６４は図５に図示された通り、それぞれ複数で形成され得、これに伴い、スライディングホール１２０内より広い移動区間で、前述した第１突起１６２、スライダー１３０および第２突起１６４間の相互作用による効果が発生し得る。
【００４７】
第２突起１６４の傾斜面は図５に図示された通り、第１突起１６２の傾斜面より緩やかに形成され得る。
【００４８】
これに伴い、第１突起１６２はスライダー１３０を支持する役割を主に遂行し、第２突起１６４は前記した第１突起１６２の役割を補助するとともに、スライダー１３０の移動時の突起部１６０による抵抗を減少させることができる。
【００４９】
挿入ホール１７０は図２〜図５に図示された通り、スライダー１３０をスライディングホール１２０に挿入可能なように、ベース部１１０に形成されスライディングホール１２０の端部に配置され得る。
【００５０】
すなわち、スライダー１３０は挿入ホール１７０を通じてスライディングホール１２０に挿入されて移動できるようになり、挿入ホール１７０がスライディングホール１２０の端部に配置されることにより挿入ホール１７０によるスライダー１３０の移動に対する妨害が最小化され得る。
【００５１】
挿入ホール１７０は図２〜図５に図示された通り、スライダー１３０を側方向に挿入可能なようにスライダー１３０の側端面の形状に対応するように形成され得る。
【００５２】
これに伴い、挿入ホール１７０を通じてのスライダー１３０の挿入が可能であるとともに、スライダー１３０が挿入されて装着された後に挿入された方向から離脱することが防止され得る。
【００５３】
また、挿入ホール１７０のスライディングホール１２０側の内周面は図２〜図５に図示された通り、スライディングホール１２０方向に傾斜するように形成され得る。
【００５４】
この場合、スライダー１３０が挿入ホール１７０に容易に挿入され得るだけでなく、挿入ホール１７０の傾斜した面に沿ってスライディングホール１２０に誘導されてもよい。
【００５５】
支持部１８０は図２〜図５に図示された通り、スライダー１３０の位置を支持するように、スライダー１３０の移動経路上にベース部１１０から突出するように配置され得る。
【００５６】
すなわち、支持部１８０がスライダー１３０の移動方向に対してスライダー１３０を支持することによって、スライダー１３０がスライディングホール１２０内で流動したり任意に移動することが防止され得るようになる。
【００５７】
支持部１８０には図２および図３に図示された通り、スライダー１３０が既設定値を超過する外力を受ける時、支持部１８０を横切って越えて行くように傾斜面が形成され得る。
【００５８】
すなわち、スライダー１３０が既設定された数値を超過した外力を受ける場合にのみ支持部１８０を越えて行くことができるようになるため、スライダー１３０の支持がより効果的に行われ得る。
【００５９】
また、支持部１８０に傾斜面が設けられるため、スライダー１３０が既設定値を超過する外力を受ける時、前記傾斜面を通じて支持部１８０を越えて行くことができるようになる。
【００６０】
より具体的には、支持部１８０のスライディングホール１２０の中心側の傾斜面は図３に図示された通り、支持部１８０のスライダー１３０側の傾斜面より緩やかに形成され得る。
【００６１】
これに伴い、スライダー１３０が支持部１８０によって支持され、外力を受けて支持部１８０を越えて移動後に再び支持された位置に復帰する場合に、より容易に支持部１８０を越えることができる。
【００６２】
また、支持部１８０は図２〜図５に図示された通り、スライダー１３０をスライディングホール１２０の端部側で支持するように配置され得る。
【００６３】
すなわち、スライダー１３０はスライディングホール１２０の端部側に位置した後にスライディングホール１２０に沿って移動するため、移動の出発点となるスライディングホール１２０の端部側でスライダー１３０を支持することによって、使用者はスライダー１３０の移動の有無を外力を加えるかの可否を通じて選択することができる。
【００６４】
より具体的には、支持部１８０のうちいずれか一つは図５に図示された通り、他の一つより突出したり広い幅で形成され得る。
【００６５】
これに伴い、スライディングホール１２０の両端部にそれぞれ配置された一対のスライダー１３０のうちいずれか一つは他の一つより支持部１８０によってより強く支持されて、移動端としての役割を遂行することはもちろん固定端としての役割をも遂行できるようになる。
【００６６】
支持部１８０は図２、図４および図５に図示された通り、スライダー１３０の外周に沿って延びて形成され得る。これに伴い、スライダー１３０と支持部１８０間の支持点が増加することになるため、スライダー１３０がより効果的に支持部１８０によって支持され得るようになる。
【００６７】
支持部１８０は図５に図示された通り、スライダー１３０の移動により変形したバンド部１４０の形態を維持可能なように、スライダー１３０の移動経路上の既設定された位置に配置され得る。
【００６８】
すなわち、スライダー１３０の移動経路上の既設定された位置に配置された支持部１８０にスライダー１３０が支持されてバンド部１４０の変形した形態が維持され得るため、これを通じて本考案の装置をグリップのための装置および携帯機器１０を床面に置くためのホールダーとして使うことができる。
【００６９】
突出防止溝１９０は図２〜図５に図示された通り、スライディングホール１２０に挿入されたスライダー１３０がベース部１１０の面より突出することを防止するように、ベース部１１０にスライディングホール１２０に沿って形成され得る。
【００７０】
これに伴い、ベース部１１０の携帯機器１０への付着が容易となり得、スライダー１３０が携帯機器１０と接触することが防止され得る。
【００７１】
より具体的には、突出防止溝１９０は図２および図４に図示された通り、スライダー１３０の移動をガイドするように、スライダー１３０の幅に対応する幅で形成され得る。これに伴い、スライダー１３０は安定的にスライディングホール１２０に沿って移動できるようになる。
【００７２】
バンド部１４０は図１〜図４に図示された通り、一対のスライダー１３０と結合されて一対のスライダー１３０のうち少なくともいずれか一つが移動するにつれて、指２０の挿入が可能な空間を形成するように変形し得る。
【００７３】
すなわち、バンド部１４０に結合されたスライダー１３０が移動して一対のスライダー１３０間の間隔が近づくにつれてバンド部１４０は折り曲げ面を形成することになり、これに伴い、バンド部１４０とベース部１１０間に指２０の挿入が可能な空間が形成され得る。
【００７４】
より具体的には、バンド部１４０は軟性材質を含んで形成され得、この場合、前述した通り、バンド部１４０が形成する折り曲げ面が柔軟に作られるようになる。
【００７５】
また、前記軟性材質はＴＰＵ（Ｔｈｅｒｍｏｐｌａｓｔｉｃ  Ｐｏｌｙｕｒｅｔｈａｎｅ）を含むことができ、ＴＰＵはゴム弾性を有したプラスチックであって、柔軟性が高いためバンド部１４０が容易に変形し得、耐久性も高いため、バンド部１４０に多数回の変形が起きても破裂したりクラックが発生することを防止することができる。
【００７６】
バンド部１４０は図１に図示された通り、外側面に印刷されたイメージ１４２を含んで形成され得、これに伴い、本考案の装置は多様なイメージ１４２がバンド部１４０の外側面に印刷されて、販売促進の用途または携帯機器１０の装飾などの用途で使用できるようになる。
【００７７】
一対のスライダー１３０は図２〜図４に図示された通り、スライディングホール１２０に挿入されてスライディングホール１２０に沿って互いに独立的に移動され得る。これに伴い、バンド部１４０の変形による指２０挿入空間がスライディングホール１２０上で位置を異ならせて形成され得、これに対する具現例を詳察すると次の通りである。
【００７８】
図４（ａ）および図４（ｂ）は、一対のスライダー１３０のうちいずれか一つのみが移動するにつれて、他の一つの側に指２０挿入空間が形成されることを示したものである。また、図４（ｃ）は一対のスライダー１３０すべてが移動するにつれてスライディングホール１２０の中央側に指２０挿入空間が形成されることを示したものであり、このような場合、一対のスライダー１３０それぞれの移動の程度を異ならせることによって、指２０挿入空間がスライディングホール１２０上の多様な位置で形成され得るであろう。
【００７９】
スライダー１３０は図２および図３に図示された通り、スライディングホール１２０に挿入された後にスライディングホール１２０を通じて離脱することを防止するように、スライディングホール１２０の幅より広い幅で形成されるボディ部１３２、およびボディ部１３２とベース部１１０を連結してスライディングホール１２０に沿って移動可能なように形成される連結部１３４を含むことができる。
【００８０】
図４（ｄ）に図示されたように、携帯機器グリップ装置１００は一対のスライダー１３０間に配置される追加スライダー１３６をさらに含み、一対のスライダー１３０はスライディングホール１２０の両端部にそれぞれ配置され、追加スライダー１３６はスライディングホール１２０の両端部間に配置され得る。
【００８１】
この場合、複数のスライダー１３０を移動させることによって複数の指２０挿入空間が形成され得るため、使用者は該当空間に複数の指２０を挿入してより安定して携帯機器１０をグリップできるようになる。
【００８２】
以上、本考案の一実施例について説明したが、該当技術分野で通常の知識を有する者であれば、請求の範囲に記載された本考案の思想から逸脱しない範囲内で、構成要素の付加、変更、削除または追加などによって本考案を多様に修正および変更させることができ、これもまた本考案の権利範囲内に含まれるものと言える。
【符号の説明】
【００８３】
１０：携帯機器
２０：指
１００：携帯機器グリップ装置
１１０：ベース部
１２０：スライディングホール
１３０：スライダー
１３２：ボディ部
１３４：連結部
１３６：追加スライダー
１４０：バンド部
１４２：イメージ
１５０：付着部
１５２：干渉防止ホール
１５４：離型カバー
１６０：突起部
１６２：第１突起
１６４：第２突起
１７０：挿入ホール
１８０：支持部
１９０：突出防止溝
【図１】
0003231318.tif 000003
【図２】
0003231318.tif 000004
【図３】
0003231318.tif 000005
【図４】
0003231318.tif 000006
【図５】
0003231318.tif 000007